【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
（Ｎ）ＰＰＲＣアダプタ、複数のホスト・アダプタ、前記複数のホスト・アダプタの少なくとも１つと相互接続された少なくとも１つのホスト・コンピュータ、キャッシュ、複数のデバイス・アダプタ、前記複数のデバイス・アダプタと相互接続された複数のディスク・ドライブおよび情報を有する第１の情報記憶検索システムを提供するステップと、
前記（Ｎ）ＰＰＲＣアダプタのうちの１つまたは複数を介して前記第１の情報記憶検索システムから前記情報を受信することが可能な、第２の情報記憶検索システムを提供するステップと、
（ｊ）の各値について、（ｊ）番目のＰＰＲＣアダプタが前記第２の情報記憶検索システムと通信しているかどうかを確認するステップであって、（ｊ）は１より大きいかまたは等しく、（Ｎ）より小さいかまたは等しい、前記確認するステップと、
（ｊ）番目のＰＰＲＣアダプタが前記第２の情報記憶検索システムと通信している場合、前記（ｊ）番目のＰＰＲＣアダプタを（Ｍ）テスト済みアダプタの１つとして含むステップであって、（Ｍ）は（Ｎ）より小さいかまたは等しい、前記含むステップと、
オフに設定されたフラグを含むＰＰＲＣタスクを生成するステップと、
（ｉ）番目のテスト済みアダプタを選択するステップであって、（ｉ）は１より大きいかまたは等しく、（Ｍ）より小さいかまたは等しく、（ｉ）は初期には１に設定される、前記選択するステップと、
前記（ｉ）番目のテスト済みアダプタを使用して、前記第２の情報記憶検索システムに前記情報を提供するステップと、
前記（ｉ）番目のテスト済みアダプタを使用して、前記情報が前記第２の情報記憶検索システムによって受信されたかどうかを判別するステップと、
前記（ｉ）番目のテスト済みアダプタを使用して、前記情報が前記第２の情報記憶検索システムによって受信されなかった場合、（ｉ）が（Ｍ）に等しいかどうかを確立するステップと、
（ｉ）が（Ｍ）に等しくない場合、
（ｉ）を増分するステップと、
前記選択するステップと、前記提供するステップと、前記判別するステップと、前記増分するステップとを、反復するステップと、
を含む、第１の情報記憶検索システムから第２の情報記憶検索システムへ情報を提供するための方法。 
【請求項２】
前記第１の情報記憶検索システムが１つまたは複数のホスト・コンピュータと通信可能であり、
前記１つまたは複数のホスト・コンピュータから前記第１の情報記憶検索システムによって前記情報を受信するステップと、
前記第２の情報記憶検索システムへ前記情報を提供することを含むＰＰＲＣ要求を生成するステップと、
をさらに含む、請求項１に記載の方法。 
【請求項３】
前記（Ｍ）テスト済みアダプタのうちのいずれかを使用して、前記情報が前記第２の情報記憶検索システムに提供されなかった場合、前記フラグをオンに設定するステップと、
（ｋ）番目のＰＰＲＣアダプタを選択するステップであって、（ｋ）は１より大きいかまたは等しく、（Ｎ）より小さいかまたは等しく、（ｋ）は初期には１に設定される、前記選択するステップと、
前記（ｋ）番目のＰＰＲＣアダプタを使用して、前記情報を前記第２の情報記憶検索システムに送信するステップと、
をさらに含む、請求項２に記載の方法。
【請求項４】
前記（ｋ）番目のＰＰＲＣアダプタを使用して、前記情報が前記第２の情報記憶検索システムによって受信されたことを検証するステップと、
前記（ｋ）番目のＰＰＲＣアダプタを使用して、前記情報が前記第２の情報記憶検索システムによって受信されなかった場合、
（ｋ）と（Ｎ）を比較するステップと、
（ｋ）が（Ｎ）に等しくない場合、
（ｋ）を１だけ増加させるステップと、
前記選択するステップと、前記送信するステップと、前記検証するステップと、前記増加させるステップとを、反復するステップと、
をさらに含む、請求項３に記載の方法。 
【請求項５】
前記（ｋ）番目のＰＰＲＣアダプタを使用して前記情報を送信することにより、前記第２の情報記憶検索システムによって前記情報が受信されなかった場合、および（ｋ）が（Ｎ）に等しい場合、エラー・メッセージを提供するステップをさらに含む、請求項４に記載の方法。
【請求項６】
（Ｎ）ＰＰＲＣアダプタ、複数のホスト・アダプタ、前記複数のホスト・アダプタの少なくとも１つと相互接続された少なくとも１つのホスト・コンピュータ、キャッシュ、複数のデバイス・アダプタ、前記複数のデバイス・アダプタと相互接続された複数のディスク・ドライブおよび情報を有する第１の情報記憶検索システムから、前記（Ｎ）ＰＰＲＣアダプタのうちの１つまたは複数を介して前記第１の情報記憶検索システムから前記情報を受信することが可能な第２の情報記憶検索システムへ、前記情報を提供するためのコンピュータ・プログラムであって、
コンピュータに、
（ｊ）の各値について、（ｊ）番目のＰＰＲＣアダプタが前記第２の情報記憶検索システムと通信しているかどうかを確認するステップであって、（ｊ）は１より大きいかまたは等しく、（Ｎ）より小さいかまたは等しい、前記確認するステップと、
（ｊ）番目のＰＰＲＣアダプタが前記第２の情報記憶検索システムと通信している場合、前記（ｊ）番目のＰＰＲＣアダプタを（Ｍ）テスト済みアダプタの１つとして含むステップであって、（Ｍ）は（Ｎ）より小さいかまたは等しい、前記含むステップと、
オフに設定されたフラグを含むＰＰＲＣタスクを生成するステップと、
（ｉ）番目のテスト済みアダプタを選択するステップであって、（ｉ）は１より大きいかまたは等しく、（Ｍ）より小さいかまたは等しく、（ｉ）は初期には１に設定される、前記選択するステップと、
前記（ｉ）番目のテスト済みアダプタを使用して、前記第２の情報記憶検索システムに前記情報を提供するステップと、
前記（ｉ）番目のテスト済みアダプタを使用して、前記情報が前記第２の情報記憶検索システムによって受信されたかどうかを判別するステップと、
前記（ｉ）番目のテスト済みアダプタを使用して、前記情報が前記第２の情報記憶検索システムによって受信されなかった場合、
（ｉ）を増分するステップと、
前記増分した（ｉ）の各値について、前記情報が前記第２の情報記憶検索システムによって受信されるまで、または（ｉ）が（Ｍ）に等しくなるまで、前記（ｉ）番目のテスト済みアダプタを使用して、前記第２の情報記憶検索システムに前記情報を提供するステップと、
を実行させるための、前記コンピュータ・プログラム。 
【請求項７】
前記第１の情報記憶検索システムが１つまたは複数のホスト・コンピュータと通信可能であり、
前記１つまたは複数のホスト・コンピュータから前記第１の情報記憶検索システムによって前記情報を受信するステップと、
前記第２の情報記憶検索システムへ前記情報を提供することを含むＰＰＲＣ要求を生成するステップと、
をさらに実行させる、請求項６に記載のコンピュータ・プログラム。 
【請求項８】
前記（Ｍ）テスト済みアダプタのうちのいずれかを使用して、前記情報が前記第２の情報記憶検索システムに提供されなかった場合、前記フラグをオンに設定するステップと、
（ｋ）番目のＰＰＲＣアダプタを選択するステップであって、（ｋ）は１より大きいかまたは等しく、（Ｎ）より小さいかまたは等しく、（ｋ）は初期には１に設定される、前記選択するステップと、
前記（ｋ）番目のＰＰＲＣアダプタを使用して、前記情報を前記第２の情報記憶検索システムに送信するステップと、
をさらに実行させる、請求項７に記載のコンピュータ・プログラム。
【請求項９】
前記（ｋ）番目のＰＰＲＣアダプタを使用して、前記情報が前記第２の情報記憶検索システムによって受信されたことを検証するステップと、
前記（ｋ）番目のＰＰＲＣアダプタを使用して、前記情報が前記第２の情報記憶検索システムによって受信されなかった場合、
（ｋ）を増分するステップと、
前記増分した（ｋ）の各値について、前記情報が前記第２の情報記憶検索システムによって受信されるまで、または（ｋ）が（Ｍ）に等しくなるまで、前記（ｋ）番目のＰＰＲＣアダプタを使用して、前記第２の情報記憶検索システムに前記情報を提供するステップと、
をさらに実行させる、請求項８に記載のコンピュータ・プログラム。
【請求項１０】
前記（Ｎ）ＰＰＲＣアダプタの各々を使用して前記情報を送信した後に、前記第２の情報記憶検索システムによって前記情報が受信されなかった場合、エラー・メッセージを提供するステップをさらに実行させる、請求項９に記載のコンピュータ・プログラム。